(57)【要約】【課題】本発明は羽根を特別大きくすることなく、羽根の閉成時のオーバラップ量を確保することが出来、羽根の高速な開閉が可能で、その為の構造も簡単で小型かつ安価な光量調整装置の提供。【解決手段】光路開口を有する基板に往復動自在に支持され上記光路開口を開閉する少なくとも一対の羽根部材と、この一対の羽根部材を開閉駆動する駆動手段とを備え、上記一対の羽根部材は互いに重なり上記光路開口を開放する開位置と、該光路開口を閉鎖する閉位置との間で移動自在に上記基板に配置し、上記駆動手段と上記一対の羽根部材を伝動手段で駆動連結し、この伝動手段は上記開位置と閉位置との間の所定移動範囲内で上記一対の羽根部材を一方が他方より速い移動速度となるように駆動伝達する。【選択図】図２
2006058593.tif 000002
【特許請求の範囲】
【請求項１】
光路開口を有する基板と、
上記基板に往復動自在に支持され上記光路開口を開閉する少なくとも一対の羽根部材と、
この一対の羽根部材を開閉駆動する駆動手段とを備え、
上記一対の羽根部材は互いに重なるように上記光路開口を開放する開位置と
該光路開口を閉鎖する閉位置との間で移動自在に上記基板に配置され、
上記駆動手段と上記一対の羽根部材は伝動手段で駆動連結され、
この伝動手段は上記開位置と閉位置との間の所定移動範囲内で上記一対の羽根部材を一方が他方より速い移動速度となるように駆動伝達することを特徴とする光量調整装置。
【請求項２】
前記伝動手段は、前記開位置と該開位置から所定距離隔てた中間位置との間で前記一対の羽根部材を略同一速度で移動変位し、この中間位置と前記閉位置との間では一方の羽根部材を他方の羽根部材より速い速度で移動変位するように構成されていることを特徴とする請求項１に記載の光量調整装置。
【請求項３】
前記伝動手段は、前記一対の羽根部材それぞれに設けられたスリット孔と、このスリット孔に係合する一対の駆動ピンを有する伝動アーム部材とで構成され、この伝動アーム部材は前記駆動手段の回転軸に設けられていることを特徴とする請求項１又は２に記載の光量調整装置。
【請求項４】
前記一対の羽根部材に設けられたスリット孔は、前記一対の駆動ピンの運動に対して同一の変位量を形成する対称形状部と、異なった変位量を形成する非対称形状部を有していることを特徴とする請求項３に記載の光量調整装置。
【請求項５】
前記一対の羽根部材は、前記閉位置で互いに重なり合ったオーバラップ状態に構成され、
前記伝動手段は、前記開位置から前記閉位置に至る所定の移動範囲で一方の羽根部材を他方の羽根部材より速い速度で移動変位するように構成されていることを特徴とする請求項１に記載の光量調整装置。
【請求項６】
光路開口を有する基板と、
上記基板に往復動自在に支持され上記光路開口を開閉する第１、第２の羽根部材と、
この第１、第２の羽根部材に互いに反対方向の駆動力を伝達する伝動アーム部材と、
上記伝動アーム部材を回転駆動する駆動手段とを備え、
上記第１の羽根部材は上記伝動アーム部材と、上記開位置と閉位置との間で略同一速度で移動変位するように連結され、
上記第２の羽根部材は上記伝動アーム部材と、前記開位置と所定の中間位置との間では上記第１の羽根部材と略同一速度で移動変位し、この中間位置と上記閉位置との間では上記第１の羽根部材より高速で移動変位するように連結されていることを特徴とする光量調整装置。
【請求項７】
被写体からの光路中に配置された結像レンズと、
この結像レンズからの光を撮像する撮像手段と、
上記光路中に配置された光路開口を有する基板と、
上記基板に往復動自在に支持され上記光路開口を開閉する第１、第２の羽根部材と、
この第１、第２の羽根部材に互いに反対方向の駆動力を伝達する伝動アーム部材と、
この伝動アーム部材を回転駆動する駆動手段とを備え、
上記第１の羽根部材は上記伝動アーム部材と、上記開位置と閉位置との間で略同一速度で移動変位するように連結され、
上記第２の羽根部材は上記伝動アーム部材と、前記開位置と所定の中間位置との間では上記第１の羽根部材と略同一速度で移動変位し、この中間位置と上記閉位置との間では上記第１の羽根部材より高速で移動変位するように連結されていることを特徴とする撮像装置。
【請求項８】
前記駆動手段は前記撮像手段の撮影露光量に応じて前記羽根部材を開位置から前記中間位置に移動し、前記撮像手段の撮影撮像終了に応じて前記羽根部材を前記中間位置から閉位置に移動する制御手段を備え、
前記一対の羽根部材は前記中間位置で前記光路開口の通過光量を規制することを特徴とする請求項７に記載の撮像装置。
【発明の詳細な説明】
【技術分野】
【０００１】
本発明はスチールカメラ、ビデオカメラ等の撮影光量を調整する光量調整装置に係わり、詳細には撮影光路に配置され通過する光量を複数の羽根部材で適正な撮影光量に規制する光量絞り装置、撮影光路を通過する光量を遮蔽するシャッタ装置、或いは撮影光量を規制した後遮蔽する光量規制装置における羽根部材の構造とこれを駆動する駆動装置の改良に関する。
【背景技術】
【０００２】
一般にこの種の光量調整装置は複数枚の羽根部材を光路中に配置し、この羽根部材を開閉することによって光電変換素子、感光フィルムなどの撮像手段に至る光量を規制している。そしてこの光量の規制は撮像手段に至る光量を調節して適正な露光量を得る絞り羽根或いは撮像手段に至る光量を遮閉するシャッタ羽根として用いられている。また羽根部材を所定位置に開閉規制した後この羽根部材を閉成位置に移動して露光量の調整と同時にシャッタ動作を行う絞り兼用シャッタ装置として用いられている。このような羽根部材は複数枚例えば一対の羽根部材を光路開口を有する基板に開閉自在に取付け、この羽根部材に駆動モータの回転軸に設けた伝動アームを係合して光路開口を任意に調整している。
【０００３】
従来このような装置の代表的な構造は特許文献１（特開平１１−１９４３８２号）に開示されている。同文献には撮影光路中に光路開口を有する基板を配置し、この基板に一対の羽根部材を光路開口を開閉規制するように取付け、この一対の羽根部材を駆動モータで開閉駆動するものが開示されている。そしてこの一対の羽根部材は先端部が光路開口に臨み基端部を摺動自在に基板に支持され、この一対の羽根部材にそれぞれ形成したスリット溝に駆動モータの回転軸に取付けた駆動アームの係合ピンを嵌合して反対方向に移動するようになっている。そして従来この駆動モータと一対の羽根部材は同一速度で移動するように駆動アームとスリット溝は構成されている。これは光路開口の中心を基準に一対の羽根部材が反対方向に同一量ずつ同期して移動することによって開口径を大小に調整し、或いは遮閉する為である。
【０００４】
このような従来の装置における羽根の開閉構造を図６乃至８に示すモデル図で説明する。図６は光路開口Ｘ５を第１の羽根部材Ｘ１と第２の羽根部材Ｘ２で開閉する場合を示し、各羽根部材は図示しない基板に左右反対方向に移動するように案内支持され、第１の羽根部材Ｘ１には円弧形状の開口縁が、第２の羽根部材Ｘ２には半裁円形状の開口縁がそれぞれ形成されている。そして第１の羽根部材Ｘ１にはスリットＸ３、第２の羽根部材Ｘ２にはスリットＸ４が設けられ、駆動装置の回転軸に取付けた伝動アームのピンと係合している。このスリットＸ３とＸ４とは伝動ピンの回転力が第１の羽根部材Ｘ１と第２の羽根部材Ｘ２に均等に伝達されるように同一角度で対称に傾斜して配置されている。
【０００５】
このような構成で同図（ａ）の全開状態から第１の羽根部材Ｘ１を同図左側に、第２の羽根部材Ｘ２を同図右側に移動すると同図（ｂ）の半開状態となり、更に移動すると同図（ｃ）の全閉状態となる。この第１の羽根部材Ｘ１は中央に光路開口Ｘ５より大きい開口が形成してあり、同図（ａ）右端縁には光路開口Ｘ５を覆う開口遮閉部Ｘ６が設けてある。従って第１の羽根部材Ｘ１は図６（ａ）の状態で完全に光路開口Ｘ５を開放（全開状態した）状態となり、この位置が羽根の開位置となり、同図（ｂ）の状態では光路開口Ｘ５の右側部を覆い（半開状態）、この状態で羽根は中間位置となり、同図（ｃ）の状態では完全に光路開口Ｘ５を覆う（全閉状態）こととなり、この状態で羽根は閉位置となる。
【０００６】
一方第２の羽根部材Ｘ２は図６（ｃ）に示すように右端縁が半円形状に形成してあり、同図（ａ）の開位置では光路開口Ｘ５を完全に開放し、同図（ｂ）の中間位置では光路開口Ｘ５の左側縁部を覆い、同図（ｃ）の閉位置では第１の羽根部材Ｘ１と図示デルタ１オーバラップすることとなる。そこで第１、第２の羽根部材は図６（ａ）の開位置に羽根が位置する全開状態で２つの羽根の全長（Ｌ３）は最大となり、この羽根を支持する基板はこの長さＬ３より大きく構成される。次いで同図（ｂ）の中間位置で第１、第２の羽根部材は光路開口Ｘ５の一部を覆って中央に絞り開口を形成し、この絞り開口は光路開口の光軸を中心に相似形に大小の絞り口径を形成する。
【０００７】
従って、第１、第２の羽根部材は全開状態から同一量ずつ変位移動して常に光軸を中心とする口径を形成する。また同図（ｃ）の全閉状態では第１、第２の羽根部材は図示デルタ１だけオーバラップする。このオーバラップは羽根の変形、或いは振動によって隙間が生じ、この隙間から光が進入するのを防止する十分な重なり量を確保する。この全閉状態の羽根相互の重なり量（オーバラップ量）は羽根を移動する速度を早くすると閉位置で羽根を停止する際のリバウンド（跳ね返り）の影響が生ずる。
【０００８】
特に高速な絞り装置或いは高速なシャッタ装置を実現しようとすると高速に移動する羽根のリバウンドで不要な光が進入する恐れがあり、勢い羽根のオーバラップ量を大きくする必要がある。図７（ｃ）に示すようにオーバラップ量デルタ２（デルタ２＞デルタ１）を大きくすると第１の羽根Ｘ１の端縁と光路開口縁との内に隙間Ｇ１が生ずる。この隙間Ｇ１はオーバラップ量デルタ２を大きくすればそれだけ大きく、また羽根を小さくすればそれだけ大きな隙間が生ずる。
【０００９】
図８は羽根の長さを図６、７に示すものよりＬ４だけ大きくした場合を示し、同図（ａ）の全開位置から同図（ｂ）の絞り位置、同図（ｃ）の閉位置に移動する過程で隙間が生ずることがない。しかし羽根の全長は（Ｌ３＋Ｌ４）となり、装置は図６、７のものより大型となる。
【００１０】
このように従来の装置は光路開口に臨ませた２つの羽根を同一速度で光軸を中心として全開位置から絞り位置、次いで全閉位置に移動している。従って特にシャッタ装置或いは絞り兼用シャッタ装置として羽根を高速で移動すれば閉位置で羽根のリバウンドによる光の進入を防止する為オーバラップ量を大きくする必要がある。
【特許文献１】特開平１１−１９４３８２号
【発明の開示】
【発明が解決しようとする課題】
【００１１】
上述のように光路開口に複数の羽根を配置して、光路開口を通過する光量を調節し、或いは通過する光量を遮閉する際に従来の装置は複数の羽根を同一の速度で同一量ずつ移動変位させている。従って羽根を高速で開閉移動するシャッタ装置或いは絞り兼用シャッタ装置では羽根を閉じた際に生ずるリバウンドの影響を防止する為、閉成時の羽根のオーバラップ量を大きくしなければならない。
【００１２】
このように羽根相互の重なり量を大きくすると装置は大型となり、また羽根を駆動する駆動装置の負荷も大きく装置全体が大型となる欠点があった。
【００１３】
本発明は光路開口に臨ませた複数の羽根部材を全開位置と全閉位置との間で羽根相互の移動速度を異ならせることによって羽根のオーバラップ量を特別大きくすることなく全閉状態で羽根と光路開口との間に隙間が生ずることもまた羽根を停止する際のリバウンドによって羽根相互間に隙間が生ずることがなく、以って高速な羽根の開閉が可能であり、その為の構造も簡単で小型かつ安価な光量調整装置の提供を課題としている。
【課題を解決するための手段】
【００１４】
本発明は上記課題を解決するため以下の構成を採用する。
光路開口を有する基板と、上記基板に往復動自在に支持され上記光路開口を開閉する少なくとも一対の羽根部材と、この一対の羽根部材を開閉駆動する駆動手段とを備え、上記一対の羽根部材は互いに重なり上記光路開口を開放する開位置と、該光路開口を閉鎖する閉位置との間で移動自在に上記基板に配置し、上記駆動手段と上記一対の羽根部材を伝動手段で駆動連結し、この伝動手段は上記開位置と閉位置との間の所定移動範囲内で上記一対の羽根部材を一方が他方より速い移動速度となるように駆動伝達する。
【００１５】
また前記伝動手段は、前記開位置と該開位置から所定距離隔てた中間位置との間で前記一対の羽根部材を略同一速度で移動変位し、この中間位置と前記閉位置との間では一方の羽根部材を他方の羽根部材より速い速度で移動変位すると共に、前記閉位置で互いに重なり合ったオーバラップ状態となるように構成する。前記一対の羽根部材それぞれに設けられたスリット孔と、このスリット孔に係合する一対の駆動ピンを有する伝動アーム部材とで構成し、この伝動アーム部材を前記駆動手段の回転軸に設ける。そして、前記スリット孔は、前記一対の駆動ピンの運動に対して同一の変位量を形成する対称形状部と、異なった変位量を形成する非対称形状部を有する。
【００１６】
上記基板に往復動自在に支持され上記光路開口を開閉する第１、第２の羽根部材と、この第１、第２の羽根部材に互いに反対方向の駆動力を伝達する伝動アーム部材と、上記伝動アーム部材を回転駆動する駆動手段とを備え、上記第１の羽根部材は上記伝動アーム部材と、上記開位置と閉位置との間で略同一速度で移動変位するように連結し、上記第２の羽根部材は上記伝動アーム部材と、前記開位置と所定の中間位置との間では上記第１の羽根部材と略同一速度で移動変位し、この中間位置と上記閉位置との間では上記第１の羽根部材より高速で移動変位するように連結する。
【００１７】
更に、被写体からの光路中に配置された結像レンズと、この結像レンズからの光を撮像する撮像手段とを備え、前記駆動手段は前記撮像手段の撮影露光量に応じて前記羽根部材を開位置から前記中間位置に移動し、前記撮像手段の撮影撮像終了に応じて前記羽根部材を前記中間位置から閉位置に移動する制御手段を備え、前記一対の羽根部材は前記中間位置で前記光路開口の通過光量を規制する。
【発明の効果】
【００１８】
本発明は光路開口に臨ませた一対の羽根部材を駆動装置で開閉駆動する際に開位置と閉位置との間に設定した所定の移動範囲内で一方の羽根部材を他方の羽根部材より速い速度で移動させた為、光路開口と羽根端縁との間に隙間の生じ易い羽根部材側を低速に設定し他の羽根部材を高速に移動するようにすれば羽根の縁部に隙間が生ずることがない。
【００１９】
従って羽根相互のオーバラップ量を特別大きくすることなく装置は小型で羽根の駆動装置の負荷を軽減することが出来る。またその為の構造も例えば駆動装置の回転軸に設けた伝動アームと羽根部材とを一方をピン、他方をスリット孔で形成して、このスリット孔を一方の羽根部材と他方の羽根部材とで移動変位量が異なるようにすれば良く至って簡単な構造で安価である。
【００２０】
更に絞り兼用シャッタ装置のように一対の羽根部材を全開位置と中間の絞り位置と、全閉位置とに順次位置調節する場合には全開位置から絞り位置までの間は羽根部材相互を同一の速度（移動変位量）で移動し、中間の絞り位置から全閉位置までの間は羽根部材の一方を高速で他方を低速で移動することにより羽根はより小型で相互のオーバラップ量も小さくすることが出来、確実な光量調整と装置の小型化を簡単な構造で実現することが出来る。
【発明を実施するための最良の形態】
【００２１】
以下、本発明の実施の形態について図面を参照して詳細に説明する。
図１は本発明の一実施の形態に係る光量調整装置を搭載した撮像装置の概略構成図、図２は本発明の光量調整装置の一例を示す分解斜図、図３はその羽根部材を拡大した平面図、図４は羽根部材の開閉動作を示す動作状態図、図５は図４における駆動伝達機構を構成する駆動ピンとスリット孔の関係を示す状態図である。
【００２２】
図２に示す光量調整装置Ｅは光路開口を有する基板とこの基板に組み込んだ一対の羽根部材とこの羽根部材を開閉する駆動装置とから構成されている。まず基板３０は合成樹脂のモールド成形或いは金属板のプレス加工で後述する羽根部材を開閉自在に支持し、この羽根部材を開閉駆動する駆動装置を取付けられる形状でカメラ装置などの組込みスペースに応じた形状に形成する。この基板３０にはカメラ装置などの撮影光軸Ｙ−Ｙを中心とする光路開口３１を形成する。この光路開口３１は撮影に要する光路の最大径より若干大きい口径に形成する。そしてこの光路開口３１には複数の羽根部材１０、２０を配置する。図示のものは第１の羽根部材１０と第２の羽根部材２０の２枚で構成されている。
【００２３】
この第１、第２の羽根部材１０、２０の形状は光路開口３１を通過する光量を大小に調整する絞り羽根と、光路開口３１を遮閉するシャッタ羽根と、光路開口３１の光量（露光量）を調整した後、光路を遮閉する絞り兼用シャッタ羽根との何れかその働きに適した形状に構成する。図示のものは絞り兼用シャッタ羽根として図示の形状に構成してある。つまり第１の羽根部材１０は開口１１とこの開口１１の一部端縁を先鋭状に形成した絞り形成面１１ａと光路開口３１の一部を覆うシャッタ機能部１４を備えている。また第２の羽根部材２０は半円形状の開口２１と、この開口２１の一部端縁を先鋭状に形成した絞り形成面２１ａとを備えている。
【００２４】
この第１、第２の羽根部材１０、２０の形状は基板３０に摺動自在に支持するか回動自在に支持するか或いは２枚構成にするか３枚以上複数の構成にするかによってそれぞれ異なった形状を採用する。図示のものは２枚構成の羽根を同一直線上で反対方向に移動（摺動）するようにしている関係で、第１の羽根部材１０には右側の半円弧を形成する開口１１が、第２の羽根部材２０には左側の半円弧を形成する開口２１が必要となる。
【００２５】
従って、この左右の半円状の開口１１、開口２１が互いに接近或いは離反することによって光路開口３１を開閉することとなる。また図示のものは撮影などの露光量を規制する為、開口１１には先鋭状の絞り形成面１１ａが第１の羽根部材１０に、同様の絞り形成面２１ａが第２の羽根部材２０にそれぞれ形成してある。これは略々菱型形状の絞り口径を第１、第２の羽根部材で形成し、この絞り口径を大小に調整することによって近似した開口径で開口１１を通過する光量を調整する為である。
【００２６】
従って、この絞り口径をどのような形状に設定するかによって開口１１と開口２１の形状が決定される。そこで、前述の基板３０には第１の羽根部材１０と第２の羽根部材２０とを摺動自在に案内するガイドリブ３６ａ、３６ｂとガイドピン３４ａ、３４ｂ、３４ｃが形成され、第１の羽根部材１０にはガイド溝１２ａ、１２ｂが、第２の羽根部材２０にはガイド溝２２ａ、２２ｂとが形成されている。つまり、第１の羽根部材１０は前述の開口１１を備え、互いに平行するガイド溝１２ａ、１２ｂが形成され、このガイド溝１２ａには基板３０に植設したガイドピン３４ａが係合し、ガイド溝１２ｂにはガイドピン３４ｂが係合するようになっている。
【００２７】
またこの第１の羽根部材１０の側縁（図２上側）は基板３０に形成したガイドリブ３６ｂと係合する。従って、第１の羽根部材１０はガイドピン３４ａと３４ｂ及びガイドリブ３６ｂに沿って図２左右方向に摺動自在に案内されることとなる。同様に第２の羽根部材２０は前述の開口２１を備え、平行するガイド溝２２ａと２２ｂが形成され、ガイド溝２２ａにはガイドピン３４ｂが、ガイド溝２２ｂにはガイドピン３４ｃがそれぞれ嵌合され、またこの第２の羽根部材２０の側縁（図２下側）は基板３０に形成したガイドリブ３６ａと係合するようになっている。
【００２８】
以上説明した構成によって第１の羽根部材１０と第２の羽根部材２０とは基板３０に同一直線上（図２左右方向）で摺動自在に支持され、この第１、第２の羽根部材１０、２０はそれぞれ基板３０に形成した光路開口３１を過ぎる方向に移動自在となる。
【００２９】
次に上述の羽根部材を開閉する駆動手段について説明する。
駆動手段４０としては通常の電磁モータなど種々の駆動装置が採用可能であり、例えば次の構成にすれば良い。円筒形状の永久磁石に回転軸を設けてマグネットロータを構成し、このロータをコイル枠内に回動自在に軸受支持し、このコイル枠にコイルを巻回してステータを構成する。そしてマグネットロータのＮ−Ｓ磁極と交叉する方向にコイルに磁界を生起してロータを所定角度内で回動させ、外周をヨークで覆う。図示４１は駆動装置本体であり、図示４２はロータの回転軸である。そこでこの回転軸４２に伝動アーム４３を設け、この伝動アーム４３には図示するアーム部４３ａの先端部に駆動ピン４４ａを設け、アーム部４３ｂの先端部に駆動ピン４４ｂを設ける。つまり駆動装置４１の回転軸４２には一対の駆動ピン４４ａ、４４ｂを有する伝動アーム４３が設けられ、回転軸４２の回転は距離を隔てた位置に配置されている一対の駆動ピン４４ａと４４ｂとに互いに反対方向の運動を伝達する。
【００３０】
従って、伝動アーム４３は駆動装置４１の回転軸４２に一体に取付ける必要はなく、例えば基板３０にリング状の伝動部材を回動自在に取付け、この伝動部材を駆動装置の回転軸と連結して回転運動を生起し、この伝動部材に駆動ピンを設ける構成であっても良い。このように構成した駆動装置４１は前述の基板３０の羽根部材を配置した側の背面側にビスなどで固定され、伝動アーム４３に設けた駆動ピン４４ａ、４４ｂが以下のように第１、第２の羽根部材１０、２０に連結される。
【００３１】
まず、基板３０には駆動ピン４４ａ、４４ｂの逃げ溝３５ａ、３５ｂが設けられ、この逃げ溝３５ａ、３５ｂに駆動ピン４４ａ、４４ｂが挿通され基板３０の羽根部材を配置した面側に突出する。そこで第１、第２の羽根部材にはこの駆動ピン４４ａ、４４ｂと係合するスリット孔１３、２３が設けられている。本発明はこの駆動装置側の駆動ピンと羽根側のスリット孔とから構成される伝動手段を以下の構成にしたものである。
【００３２】
前述の構成で伝動アーム４３に設けられた一対の駆動ピン４４ａと４４ｂは回転軸４２から等距離に配置され、回転軸４２の回転で駆動ピン４４ａと４４ｂとは同一量移動するようになっている。そこで第１の羽根部材１０のスリット孔１３は駆動ピン４４ａと係合して第１の羽根部材１０の開閉全域を等速度で移動変位するようにスリット孔１３が形成されている。一方、第２の羽根部材２０のスリット孔２３は駆動ピン４４ｂと係合して、第２の羽根２０を第１の速度で移動変位するスリット係合面２３ａと第２の速度で移動変位するスリット係合面２３ｃとから構成されている。
【００３３】
つまり第１の羽根１０のスリット孔１３は駆動ピン４４ａが所定角度範囲で回転するとき、常に等しい変位量を第２の羽根２０に伝達するように図３に示す直線形状に構成してある。一方、第２の羽根２０のスリット孔２３は駆動ピン４４ｂが所定角度範囲で回転するとき、スリット係合面２３ａとスリット係合面２３ｂとでは異なった変位量を羽根に伝達し、スリット係合面２３ａよりスリット係合面２３ｂが大きい変位量を伝達するようになっている。またスリット係合面２３ａの伝達する変位量は第１の羽根１０のスリット孔１３が伝達する変位量と等しく設定してある。従って第２の羽根２０は駆動ピン４４ｂがスリット孔２３の係合面２３ａと係合するときは第１の羽根１０と同速度で移動し、駆動ピン４３ｂが係合面２３ｃと係合するときは第１の羽根１０より速い速度で移動することとなる。尚、図３に示すスリット孔２３の係合面２３ｂは第１の羽根１０と同速度で移動するときのスリット孔の形状を仮想した場合を示している。
【００３４】
以上説明した伝動手段（駆動ピンとスリット孔の係合構造）と羽根の運動との関係を図４に従って説明する。
図４（ａ）は第１、第２の羽根部材が基板３０の光路開口３１を全開した状態を示し、各羽根部材は開位置に位置している。同図（ｂ）は第１、第２の羽根部材が光路開口３１の一部を覆った絞り状態を示し、各羽根部材は中間位置に位置している。同図（ｃ）は第１、第２の羽根部材が光路開口３１を完全に覆った閉鎖状態を示し、各羽根は閉位置に位置している。図中Ｙ−Ｙは光軸で基板３０に形成した光路開口３１の中心と一致し、Ｌ０は第１、第２の羽根部材が開位置から閉位置に移動するストローク長さを、Ｌ１は開位置から中間位置に移動するストローク、Ｌ２は中間位置から閉位置に移動するストロークをそれぞれ示し、また図中ａ、ｂ、ｃは第１、第２の羽根部材の開口１１、２１が形成する中心点を示している。
【００３５】
そこで、第１、第２の羽根部材が開位置（図６（ａ）の状態）から中間位置（図６（ｂ）の状態）に移動するときには駆動ピン４４ａはスリット孔１３ｂに沿って第１の羽根部材１０を所定速度で移動し、駆動ピン４４ｂはスリット孔２３の係合面２３ａに沿って第２の羽根部材２０を第１の羽根部材１０と同一速度で移動する。従って第１と第２の羽根部材１０、２０は光軸Ｙ−Ｙと一致する中心ａから同様に光軸と一致する中心ｂに移動する。この中間位置で光路開口３１は第１、第２の羽根部材１０、２０の絞り形成面が１１ａ、２１ａが形成する絞り口径によって光量調整がなされる。つまり駆動装置４１の回転軸４２の回転量を調節することによって第１、第２の羽根部材１０、２０が形成する絞り口径を大小自由に設定することが可能となる。
【００３６】
次に第１、第２の羽根部材１０、２０は中間位置（図６（ｂ）の状態）から閉位置（図６（ｃ）の状態）に移動するときには駆動ピン４４ａはスリット孔１３ｂに沿って第１の羽根部材１０を先の開位置から中間位置への移動速度と同一の速度で移動する。また駆動ピン４４ｂはスリット孔２３の係合面２３ｃに沿って第２の羽根部材２０を第１の羽根部材１０より高速に移動する。すると第１と第２の羽根部材１０、２０は互いに重なって光路開口３１を完全に閉鎖する。
【００３７】
この状態で第１と第２の羽根部材１０、２０のオーバラップ量は図６（ｃ）に示すデルタ２となり、羽根の中心ｃは光軸Ｙ−Ｙから図示デルタだけズレることとなる。このように中間（絞り）位置から閉位置に移動する過程で第２の羽根部材２０は高速で、第１の羽根部材１０は低速で移動して光路開口３１上で羽根は相互に重なり合って光路開口３１を閉鎖する。従って第１の羽根部材１０の移動ストロークは短く、第２の羽根部材２０の移動ストロークは長くなり、第１の羽根部材１０の端面（図４における右側）が光路開口３１内に進入して隙間を形成し、これによる光の漏れを生ずることがない。
【００３８】
このように開位置から閉位置に至る第１、第２の羽根部材１０、２０をその全ストローク或いは所定範囲のストロークで羽根相互の速度を異ならせることによって全閉状態で羽根の端面が光路開口３１内に進入する恐れのある羽根を他の羽根より低速に移動すれば羽根の形状を大きくすることなく光路開口縁との間に隙間が生ずることがない。また閉位置で第１、第２の羽根部材１０、２０は重なり状態の中心ｃが光軸から図示デルタだけ偏ることによってオーバラップ量デルタ２が確保できる。
【００３９】
図５は駆動ピン４４ｂと第２の羽根部材２０のスリット孔２３との関係を示し、駆動ピン４４ｂがスリット孔２３の係合面２３ａと係合して移動する範囲Ｌ１は第１の羽根部材１０と同一速度で変位するように係合面２３ａは第１の羽根部材１０のスリット孔１３と対称の形状で羽根の移動方向に対し角度θ１の傾斜面にしてある。また駆動ピン４４ｂがスリット孔２３の係合面２３ｃと係合して移動する範囲Ｌ２は第１の羽根部材１０の移動速度に比べ速い速度で変位するように羽根の移動方向に対し角度θ２で傾斜している。そして角度θ１＞角度θ２に設定されている。
【００４０】
次に上述の光量調整装置を用いた撮像装置について図１に基づいて説明する。
スチールカメラ、ビデオカメラ等のレンズ鏡筒に前述の光量調整装置を組込む。図示Ａは撮影光路に配置した前レンズ、Ｂは後レンズであり、これ等のレンズで被写体像を結像しその結像面に撮像手段Ｓを配置する。撮像手段ＳとしてはＣＣＤなどの固体撮像素子或いは感光フィルムなどを用いる。そして制御はＣＰＵ制御回路、露出制御回路、及びシャッタ駆動回路で実行するように構成する。図示のＳＷ１はメイン電源スイッチであり、ＳＷ２はシャッタレリーズスイッチを示す。カメラ装置としての制御には、この他オートフォーカス回路などが用いられるが良く知られた構成であるので説明を省く。
【００４１】
そこでレンズ鏡筒に組込まれた前レンズＡと後レンズＢとの間に基板３０を組込む。この基板３０には前述の第１、第２の羽根部材１０、２０及び駆動装置４１が組込まれ光量調整装置がユニット化されている。そこで制御ＣＰＵは露出量、シャッタスピードなどの撮影条件を設定し、露出制御回路及びシャッタ駆動回路に指示信号を発する。まず露光量は露出制御回路が制御ＣＰＵからの指示信号で駆動装置４１のコイルに所定方向の電流を供給する。すると第１、第２の羽根部材１０、２０は駆動装置４１の回転を伝動アーム４３を介して駆動ピン４４ａ、４４ｂから伝達され、図４（ｂ）の中間位置で最適露光量に光路開口３１を絞る。
【００４２】
この中間位置では第１の羽根部材１０と第２の羽根部材２０は同一速度で同一移動変位で開閉何れかの方向に移動し、最適位置で停止する。このとき第１と第２の羽根部材１０、２０は絞り開口の中心ｂが光軸Ｙ−Ｙと一致し、この光軸を中心に第１、第２の羽根部材１０、２０は左右に移動して絞り口径を形成する為、駆動装置４１のコイルに供給する電流量に比例して口径が決定される。
【００４３】
次いで、レリーズ釦が操作されると、ＣＣＤなどの固体撮像素子の場合すでにチャージされている電荷を放出し、撮影を開始する。次いでシャッタ駆動回路は制御ＣＰＵから予め設定された露光時間の経過後、シャッタ動作開始の信号を受け駆動装置のコイルにシャッタ閉成方向の電流を供給する。すると、駆動装置４１の回転を伝動アーム４３を介して駆動ピン４４ａ、４４ｂが第１、第２の羽根部材１０、２０に伝達し、前述のように第１、第２の羽根部材１０、２０は図４（ｂ）の状態から同図（ｃ）の状態に移動する。このとき第１の羽根部材１０は第２の羽根部材２０より低速で移動し、第１、第２の羽根部材１０、２０が互いにオーバラップして光路開口３１を完全に遮閉する。このシャッタ動作の後、撮像手段がＣＣＤ（固体撮像素子）の場合は画像処理回路に画像データが転送されメモリなどに蓄積される。
【図面の簡単な説明】
【００４４】
【図１】本発明の一実施の形態に係る光量調整装置を搭載した撮像装置の概略構成図。
【図２】本発明の光量調整装置の一例を示す分解斜図。
【図３】図２の装置の羽根部材を拡大した平面図であり、（ａ）は第１の羽根部材を示し、（ｂ）は第２の羽根部材を示す。
【図４】羽根部材の開閉動作を示す説明図であり、（ａ）は開位置であり、（ｂ）は中間位置であり、（ｃ）は閉位置を示す。
【図５】図４における駆動伝達機構を構成する駆動ピンとスリット孔の関係を示す説明図。
【図６】従来の装置における羽根の開閉構造を示す説明図であり、（ａ）は全開状態であり、（ｂ）は中間状態であり、（ｃ）は全閉状態を示す。
【図７】図６と異なる羽根の開閉構造を示す説明図であり、（ａ）は全開状態であり、（ｂ）は中間状態であり、（ｃ）は全閉状態を示す。
【図８】図６乃至７と異なる羽根の開閉構造を示す説明図であり、（ａ）は全開状態であり、（ｂ）は中間状態であり、（ｃ）は全閉状態を示す。
【符号の説明】
【００４５】
１０  第１の羽根
１１  開口
１１ａ、２１ａ  絞り形成面
１３、２３  スリット孔
１４  シャッタ機能部
２０  第２の羽根
２１  開口
２２ａ、２２ｂ  ガイド溝
３０  基板
３１  光路開口
３４ａ、３４ｂ、３４ｃ  ガイドピン
３５ａ、３５ｂ  逃げ溝
３６ａ、３６ｂ  ガイドリブ
４０  駆動手段
４１  駆動装置本体
４２  回転軸
４３  伝動アーム
４３ａ、４３ｂ  アーム部
４４ａ、４４ｂ  駆動ピン
Ｅ  光量調整装置
【図１】
2006058593.tif 000003
【図２】
2006058593.tif 000004
【図３】
2006058593.tif 000005
【図４】
2006058593.tif 000006
【図５】
2006058593.tif 000007
【図６】
2006058593.tif 000008
【図７】
2006058593.tif 000009
【図８】
2006058593.tif 000010